(57)【要約】【課題】計測結果を外部機器に出力する際に、情報の不一致を防止し、医用画像の診断の精度を向上させる。【解決手段】医用画像に対する計測処理の後（ステップＳ４）、紙プリントが指示され（ステップＳ５；ＹＥＳ）、医用画像上に計測線が描画されている場合には（ステップＳ８；ＹＥＳ）、表示されている計測値と、ＤＢ関連情報に含まれる計測値とが一致するか否かを判断する。両者が一致しない場合には（ステップＳ１０；ＮＯ）、ＤＢ関連情報に含まれる計測値を、表示されている計測値に修正して（ステップＳ１１）、表示されている医用画像、計測線及び計測値と、ＤＢ関連情報とをプリントさせるためのプリント情報を生成し、プリンタに対して送信する（ステップＳ９）。【選択図】図６
2010233879.tif 000002
【特許請求の範囲】
【請求項１】
医用画像上に当該医用画像に基づいて算出された第１の計測値を付加して表示手段に表示させ、前記医用画像及び前記第１の計測値とともに、第２の計測値を含む関連情報をプリントさせるためのプリント情報を外部機器に出力する画像計測装置であって、
前記プリント情報を出力する際に、前記第１の計測値と前記第２の計測値とを比較し、両者が一致しない場合には、前記第２の計測値を前記第１の計測値に修正して前記プリント情報を生成する制御手段を備える画像計測装置。
【請求項２】
前記医用画像は、胸部画像であり、
前記第１の計測値及び前記第２の計測値は、心臓幅、胸郭幅又は心胸比である、
請求項１に記載の画像計測装置。
【請求項３】
医用画像上に当該医用画像に基づいて算出された第１の計測値を付加して表示手段に表示させ、前記医用画像及び前記第１の計測値とともに、第２の計測値を含む関連情報をプリントさせるためのプリント情報を外部機器に出力するコンピュータを、
前記プリント情報を出力する際に、前記第１の計測値と前記第２の計測値とを比較し、両者が一致しない場合には、前記第２の計測値を前記第１の計測値に修正して前記プリント情報を生成する制御手段として機能させるためのプログラム。
【請求項４】
前記医用画像は、胸部画像であり、
前記第１の計測値及び前記第２の計測値は、心臓幅、胸郭幅又は心胸比である、
請求項３に記載のプログラム。
【発明の詳細な説明】
【技術分野】
【０００１】
本発明は、画像計測装置及びプログラムに関する。
【背景技術】
【０００２】
従来、医療分野の診断において、Ｘ線等の放射線により患者を撮影した画像が用いられている。医師は、フィルムに出力した放射線画像を観察読影するとともに、診断に用いる数値や角度を得るために放射線画像上に計測すべき位置をマーキングし、定規や分度器等の計測器具を用いてマーキングされた位置の距離や角度等を計測する。
【０００３】
近年、医療分野においてもデジタル化が進み、病院内で生成される放射線画像は、デジタル画像としてＰＡＣＳ（Picture Archiving and Communication System）に保存されている。デジタル画像の場合、画像をモニタ画面上に表示させ、この画面上で計測に用いる線（以下、計測線という。）を手動又は自動で指定することによって、距離や角度等の計測を自動化したり、一度引いた計測線を移動したりすることができる。
【０００４】
自動的に計測を行う方法として、例えば、胸部画像中の心胸郭の輪郭を検出し、検出された心胸郭の輪郭に基づいて、心臓の幅と胸郭の幅とをそれぞれ求め、心胸比を算出する技術が開示されている（特許文献１参照）。
【０００５】
モニタ画面上で行われた計測の結果として得られた計測線、及び、計測線に基づいて算出された距離や角度等の計測値は、画像上に描画されて保存される。具体的には、計測線に関する情報及び計測値に関する情報が画像ファイルに付帯情報として付帯されて保存される。付帯情報は、画像がロードされた場合に同時にロードされ、計測線及び計測値が読影画面に表示される。計測線に関する情報には、計測線の両端の座標、線の太さ、線の色等が含まれる。計測値に関する情報には、テキスト内容（計測値）、テキストの位置、テキストのサイズ、フォント、フォントの色、フォントサイズ等が含まれる。
【０００６】
また、付帯情報として計測値を保存する方法とは別に、患者情報や検査情報等とともに計測値をデータベース（以下、ＤＢという。）に保存する方法も採用されている。付帯情報として計測値を保存する場合には、画像をロードしないと付帯情報を表示することができないが、ＤＢに計測値を保存する場合には、ＤＢ内の情報をリストとして表示したり、表示した情報をソートしたり、検索したりすることができ、一覧性に優れている。
【先行技術文献】
【特許文献】
【０００７】
【特許文献１】特開２００２−１０９５５０号公報
【発明の概要】
【発明が解決しようとする課題】
【０００８】
しかし、ユーザの読影中の操作により、表示画面上で計測線が追加又は移動された場合に、ＤＢから取得した情報は更新されていないため、表示画面上に表示されている医用画像、計測線及び計測値と、ＤＢから取得した情報とを合わせて紙やフィルム等の記録媒体にプリントする際には、プリントされた記録媒体上で情報の不一致が生じる場合があった。
【０００９】
この場合、プリントされた紙やフィルムを見ると、計測値として異なる複数の情報が提示されているため、誤診のおそれがあった。
【００１０】
本発明は、上記の従来技術における問題に鑑みてなされたものであって、計測結果を外部機器に出力する際に、情報の不一致を防止し、医用画像の診断の精度を向上させることを課題とする。
【課題を解決するための手段】
【００１１】
上記課題を解決するために、請求項１に記載の発明は、医用画像上に当該医用画像に基づいて算出された第１の計測値を付加して表示手段に表示させ、前記医用画像及び前記第１の計測値とともに、第２の計測値を含む関連情報をプリントさせるためのプリント情報を外部機器に出力する画像計測装置であって、前記プリント情報を出力する際に、前記第１の計測値と前記第２の計測値とを比較し、両者が一致しない場合には、前記第２の計測値を前記第１の計測値に修正して前記プリント情報を生成する制御手段を備える。
【００１２】
請求項２に記載の発明は、請求項１に記載の画像計測装置において、前記医用画像は、胸部画像であり、前記第１の計測値及び前記第２の計測値は、心臓幅、胸郭幅又は心胸比である。
【００１３】
請求項３に記載の発明は、医用画像上に当該医用画像に基づいて算出された第１の計測値を付加して表示手段に表示させ、前記医用画像及び前記第１の計測値とともに、第２の計測値を含む関連情報をプリントさせるためのプリント情報を外部機器に出力するコンピュータを、前記プリント情報を出力する際に、前記第１の計測値と前記第２の計測値とを比較し、両者が一致しない場合には、前記第２の計測値を前記第１の計測値に修正して前記プリント情報を生成する制御手段として機能させるためのプログラムである。
【００１４】
請求項４に記載の発明は、請求項３に記載のプログラムにおいて、前記医用画像は、胸部画像であり、前記第１の計測値及び前記第２の計測値は、心臓幅、胸郭幅又は心胸比である。
【発明の効果】
【００１５】
請求項１、３に記載の発明によれば、計測結果を外部機器に出力する際に、情報の不一致を防止し、医用画像の診断の精度を向上させることができる。
【００１６】
請求項２、４に記載の発明によれば、胸部画像の心臓幅、胸郭幅又は心胸比について、情報の不一致を防止し、医用画像の診断の精度を向上させることができる。
【図面の簡単な説明】
【００１７】
【図１】医用画像システムのシステム構成図である。
【図２】画像サーバ装置の機能的構成を示すブロック図である。
【図３】計測線テーブルを示す図である。
【図４】計測値テーブルを示す図である。
【図５】画像計測装置の機能的構成を示すブロック図である。
【図６】画像計測装置において実行される処理を示すフローチャートである。
【図７】読影画面の表示例である。
【図８】計測処理を示すフローチャートである。
【図９】計測線を移動した後の読影画面の表示例である。
【図１０】プリント例を示す図である。
【発明を実施するための形態】
【００１８】
以下、図面を参照して、本発明に係る画像計測装置の一実施形態について説明する。
図１に、医用画像システム１００のシステム構成を示す。図１に示すように、医用画像システム１００では、ＲＩＳ（Radiological Information System：放射線情報システム）１０、モダリティ２０、画像サーバ装置３０、画像計測装置４０、プリンタ５０及びイメージャ６０が、ネットワークＮを介してデータ通信可能に接続されている。
【００１９】
ＲＩＳ１０は、放射線科部門内における診療予約、診断結果のレポート、実績管理、材料在庫管理等の情報管理を行う。ＲＩＳ１０は、撮影や診断の内容を示す検査オーダ情報を生成し、モダリティ２０に送信する。
【００２０】
モダリティ２０は、ＲＩＳ１０から送信された検査オーダ情報に基づいて、患者を撮影し、医用画像の画像データを生成する画像生成装置である。モダリティ２０は、画像データを画像サーバ装置３０に送信する。モダリティ２０としては、ＣＲ（Computed Radiography）装置、ＣＴ（Computed Tomography）装置、ＭＲＩ（Magnetic Resonance Imaging）装置等が用いられる。
【００２１】
画像サーバ装置３０は、ＰＡＣＳにより構成され、モダリティ２０から受信した医用画像の画像データのファイル（以下、画像ファイルという。）Ｄ１（図２参照）を保存し、画像計測装置４０等の外部機器からの要求に応じて画像ファイルＤ１等を提供する。
【００２２】
図２に、画像サーバ装置３０の機能的構成を示す。図２に示すように、画像サーバ装置３０は、制御部３１、操作部３２、表示部３３、通信部３４、ＲＯＭ（Read Only Memory）３５、記憶部３６を備えて構成され、各部はバス３７により接続されている。
【００２３】
制御部３１は、ＣＰＵ（Central Processing Unit）、ＲＡＭ（Random Access Memory）等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００２４】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００２５】
表示部３３は、ＬＣＤ（Liquid Crystal Display）により構成され、制御部３１から入力される表示データに基づいて各種画面を表示する。
【００２６】
通信部３４は、ＲＩＳ１０、モダリティ２０、画像計測装置４０等の外部機器との間でデータの送受信を行うインターフェースである。
【００２７】
ＲＯＭ３５は、不揮発性の半導体メモリ等により構成され、制御プログラム、当該プログラムの実行に必要なパラメータやファイル等を記憶している。
【００２８】
記憶部３６は、ハードディスク等により構成され、各種データを記憶する。具体的には、記憶部３６には、画像ファイルＤ１、アノテーション情報Ｄ２、ＤＢ３６１等が記憶されている。
【００２９】
画像ファイルＤ１は、モダリティ２０から受信した医用画像の画像データのファイルである。アノテーション情報Ｄ２は、各画像ファイルＤ１に付帯されている付帯情報であり、計測線に関する情報（以下、計測線情報という。）及び計測値に関する情報（以下、計測値情報という。）が含まれる。計測線は、医用画像内の計測対象部位に描画される線である。計測値は、医用画像に基づいて算出された値であり、具体的には、計測線の位置に基づいて算出された距離、距離の比、角度等の値である。計測線情報には、計測線の両端の座標、線の太さ、線の色等が含まれる。計測値情報には、テキスト内容（計測値）、テキストの位置、テキストのサイズ、フォント、フォントの色、フォントサイズ等が含まれる。
【００３０】
胸部画像の画像ファイルＤ１の場合には、計測線情報には、心臓の左端、心臓の右端、胸郭の左端、胸郭の右端、正中線を示す計測線に関する情報が含まれ、計測値情報には、計測値として心臓幅、胸郭幅、心胸比が含まれる。心臓幅は、心臓の左端を示す計測線と心臓の右端を示す計測線との距離に相当する。胸郭幅は、胸郭の左端を示す計測線と胸郭の右端を示す計測線との距離に相当する。心胸比とは、胸郭幅に対する心臓幅の割合をいい、次式によって求められる。
心胸比＝（心臓幅／胸郭幅）×１００（％）
【００３１】
ＤＢ３６１は、患者情報テーブル３６２、検査情報テーブル３６３、シリーズ情報テーブル３６４、画像情報テーブル３６５、計測線テーブル３６６、計測値テーブル３６７から構成される。
【００３２】
患者情報テーブル３６２には、患者ＩＤ毎に、患者氏名、生年月日、性別等の患者に関する各種情報が格納されている。患者ＩＤは、各患者に対応付けられている識別情報である。
【００３３】
検査情報テーブル３６３には、検査ＩＤ毎に、患者ＩＤ、受付番号、検査日、検査時刻等の検査に関する各種情報が格納されている。検査ＩＤは、各検査に対応付けられている識別情報である。
【００３４】
シリーズ情報テーブル３６４には、シリーズＬＩＤ毎に、検査ＩＤ、モダリティ、検査部位等のシリーズに関する各種情報が格納されている。シリーズＬＩＤは、各シリーズに対応付けられている識別情報である。
【００３５】
画像情報テーブル３６５には、画像ＬＩＤ毎に、シリーズＬＩＤ、画像日付、画像時刻等の画像に関する各種情報が格納されている。画像ＬＩＤは、画像ファイルＤ１のそれぞれに対応付けられている識別情報である。
【００３６】
計測線テーブル３６６には、図３に示すように、計測線ＬＩＤ、画像ＬＩＤ等が対応付けられて格納されている。計測線ＬＩＤは、画像ファイルＤ１に対して描画された計測線を示す識別情報である。
【００３７】
計測値テーブル３６７には、図４に示すように、計測値ＬＩＤ、計測値、計測値単位、計測線ＬＩＤ等が対応付けられて格納されている。計測値ＬＩＤは、計測値のそれぞれに対応付けられている識別情報である。
【００３８】
制御部３１は、画像計測装置４０から画像ファイルＤ１の取得要求があった場合に、要求された画像ファイルＤ１、当該画像ファイルＤ１に付帯されているアノテーション情報Ｄ２、及び、ＤＢ３６１に格納されている情報のうち当該画像ファイルＤ１に関連する情報（以下、ＤＢ関連情報という。）Ｄ３（図５参照）を記憶部３６から読み出し、画像計測装置４０に送信する。ＤＢ関連情報Ｄ３には、患者ＩＤ、患者氏名、生年月日、性別、検査ＩＤ、受付番号、検査日、検査時刻、モダリティ、計測値、計測値単位等が含まれる。
【００３９】
具体的には、制御部３１は、計測線テーブル３６６を参照して、対象画像の画像ＬＩＤに対応する計測線ＬＩＤを特定し、計測値テーブル３６７を参照して、特定された計測線ＬＩＤに対応する計測値及び計測値単位を取得する。また、制御部３１は、患者情報テーブル３６２、検査情報テーブル３６３、シリーズ情報テーブル３６４、画像情報テーブル３６５を参照して、対象画像の画像ＬＩＤに対応する情報を取得する。
【００４０】
また、制御部３１は、画像計測装置４０から計測結果（計測線情報及び計測値情報）の保存指示情報を受信した場合に、受信した計測結果の保存指示情報に基づいて、記憶部３６のアノテーション情報Ｄ２及びＤＢ３６１を更新する。
【００４１】
画像計測装置４０は、画像サーバ装置３０から取得した医用画像を表示させ、当該医用画像の診断に用いる数値や角度を計測するための装置であって、ＰＣ（Personal Computer）等から構成される。
【００４２】
図５に、画像計測装置４０の機能的構成を示す。図５に示すように、画像計測装置４０は、制御部４１、操作部４２、表示部４３、通信部４４、ＲＯＭ４５、記憶部４６、メモリ４７を備え、各部はバス４８により接続されている。
【００４３】
制御部４１は、ＣＰＵ、ＲＡＭ等から構成され、画像計測装置４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００４４】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００４５】
表示部４３は、ＬＣＤにより構成され、制御部４１から入力される表示データに基づいて各種画面を表示する。具体的には、表示部４３は、医用画像、計測線及び計測値を表示する。
【００４６】
通信部４４は、画像サーバ装置３０、プリンタ５０、イメージャ６０等の外部機器との間でデータの送受信を行うインターフェースである。
【００４７】
ＲＯＭ４５は、不揮発性の半導体メモリ等により構成され、制御プログラム、当該プログラムの実行に必要なパラメータやファイル等を記憶している。
【００４８】
記憶部４６は、ハードディスク等により構成され、各種データを記憶する。
【００４９】
メモリ４７は、半導体メモリ等により構成され、処理中のデータを記憶する。具体的には、メモリ４７には、画像サーバ装置３０から取得した画像ファイルＤ１、アノテーション情報Ｄ２、ＤＢ関連情報Ｄ３が記憶される。
【００５０】
制御部４１は、通信部４４を介して、画像サーバ装置３０に対して、記憶部３６に記憶されている医用画像の画像ファイルＤ１の取得要求を送信し、画像サーバ装置３０から医用画像の画像ファイルＤ１、画像ファイルＤ１に対応するアノテーション情報Ｄ２及びＤＢ関連情報Ｄ３を取得する。そして、制御部４１は、取得した医用画像の画像ファイルＤ１及びアノテーション情報Ｄ２に基づいて、医用画像上に計測線及び計測値を付加して表示部４３のモニタ画面に表示させる。
【００５１】
なお、画像ファイルＤ１にアノテーション情報Ｄ２が付帯されていない場合には、制御部４１は、アノテーション情報Ｄ２を画像サーバ装置３０から取得せず、新たに計測を行う場合にアノテーション情報Ｄ２を生成する。新たに計測を行う場合には、ユーザは、操作部４２からの操作により、医用画像上の計測線を描画すべき位置を指定する。制御部４１は、ユーザが指定したモニタ上の座標から画像上の座標に変換し、各計測線を描画すべき画像上の座標（各計測線の両端の座標）をメモリ４７にアノテーション情報Ｄ２として格納させる。制御部４１は、表示部４３に表示されている医用画像上に計測線を描画する。また、制御部４１は、各計測線に基づいて計測値を算出し、算出された計測値をメモリ４７のアノテーション情報Ｄ２に格納させる。制御部４１は、表示部４３に表示されている医用画像上に計測値を表示させる。
【００５２】
画像ファイルＤ１が胸部画像である場合に、新たに心胸比計測を行う場合には、ユーザは、操作部４２からの操作により、胸部画像上の心臓の左端、心臓の右端、胸郭の左端、胸郭の右端を指定する。なお、正中線に相当する計測線については、制御部４１が胸郭幅の中点から自動的に決定するため、指定は不要である。制御部４１は、各計測線に基づいて、心臓幅、胸郭幅及び心胸比を算出する。
【００５３】
過去に計測が行われ、既に保存されているアノテーション情報Ｄ２に基づいて表示されている計測線を移動させる場合には、ユーザは、操作部４２からの操作により、医用画像上の計測線を選択し、移動先の位置を指定する。制御部４１は、ユーザが指定したモニタ上の座標から画像上の座標に変換し、移動後の計測線を描画すべき画像上の座標（移動後の計測線の両端の座標）をメモリ４７のアノテーション情報Ｄ２に格納させる。制御部４１は、移動後の計測線を医用画像上に描画する。また、制御部４１は、各計測線に基づいて計測値を算出し、算出された計測値をメモリ４７のアノテーション情報Ｄ２に格納させる。制御部４１は、表示部４３に表示されている医用画像上に計測値を表示させる。
【００５４】
制御部４１は、ユーザの操作部４２からの操作により、医用画像のプリントが指示された場合に、表示部４３に表示されている医用画像、計測線及び計測値とともに、ＤＢ関連情報Ｄ３をプリントさせるためのプリント情報を生成し、プリンタ５０、イメージャ６０等の外部機器に出力する。この際、制御部４１は、表示部４３に表示されている計測値（アノテーション情報Ｄ２に含まれる計測値）とＤＢ関連情報Ｄ３に含まれる計測値とを比較し、両者が一致しない場合には、ＤＢ関連情報Ｄ３に含まれる計測値を表示部４３に表示されている計測値に修正してプリント情報を生成する。プリント情報には、プリンタ５０やイメージャ６０においてプリントされるべき画像データが含まれる。
【００５５】
プリンタ５０は、画像計測装置４０等の外部機器から送信されるプリント情報に基づいて、画像を用紙にプリントする装置である。プリンタ５０は、画像計測装置４０からプリント情報を受信すると、受信したプリント情報に含まれる画像データに基づいて、医用画像等を用紙にプリントする。
【００５６】
イメージャ６０は、画像計測装置４０等の外部機器から送信されるプリント情報に基づいて、画像をフィルムにプリントする装置である。イメージャ６０は、画像計測装置４０からプリント情報を受信すると、受信したプリント情報に含まれる画像データに基づいて、医用画像等をフィルムにプリントする。
【００５７】
次に、動作について説明する。
図６は、画像計測装置４０において実行される処理を示すフローチャートである。この処理は、制御部４１のＣＰＵと、ＲＯＭ４５に記憶されているプログラムとの協働によるソフトウェア処理によって実現される。
【００５８】
まず、ユーザの操作部４２からの操作により、計測対象となる医用画像の画像ファイルＤ１が選択され、制御部４１の制御に従って、通信部４４により、画像サーバ装置３０に対して、選択された医用画像の画像ファイルＤ１の取得要求が送信される。そして、制御部４１により、通信部４４を介して、画像サーバ装置３０から医用画像の画像ファイルＤ１、当該画像ファイルＤ１に対応するアノテーション情報Ｄ２、及び、ＤＢ関連情報Ｄ３が取得される（ステップＳ１）。取得された画像ファイルＤ１、アノテーション情報Ｄ２及びＤＢ関連情報Ｄ３は、制御部４１により、メモリ４７に格納される。
【００５９】
次に、制御部４１により、取得された医用画像の画像ファイルＤ１及びアノテーション情報Ｄ２に基づいて、表示部４３に医用画像、計測線及び計測値が表示される（ステップＳ２）。そして、ユーザによる医用画像の読影が開始される。図７に、表示部４３に表示される胸部画像Ｇ１の読影画面４３１の例を示す。胸部画像Ｇ１上に５本の計測線Ｌ１，Ｌ２，Ｌ３，Ｌ４，Ｌ５が描画され、計測値表示領域Ｒ１には計測値が「心臓幅  １３４．９９ｍｍ  胸郭幅  ３０１．８６ｍｍ  心胸比  ４４．７２％」と表示されている。ここで、計測線Ｌ１は画面上において心臓の左端（人体における右側）と判断された位置を示すものであり、計測線Ｌ２は画面上において心臓の右端（人体における左側）と判断された位置を示すものであり、計測線Ｌ３は画面上において胸郭の左端（人体における右側）と判断された位置を示すものであり、計測線Ｌ４は画面上において胸郭の右端（人体における左側）と判断された位置を示すものであり、計測線Ｌ５は正中線と判断された位置を示すものである。心臓幅は計測線Ｌ１と計測線Ｌ２との距離であり、胸郭幅は計測線Ｌ３と計測線Ｌ４との距離であり、心胸比は胸郭幅に対する心臓幅の割合を％で表した値である。
【００６０】
次に、ユーザの操作部４２からの操作により、表示部４３に表示されている医用画像に対する計測が指示され（ステップＳ３）、制御部４１により、画像計測装置４０は計測モードへ移行する。計測モードは、計測を実行することができる状態を指す。
【００６１】
次に、制御部４１により、計測処理が行われる（ステップＳ４）。
ここで、図８を参照して、計測処理について説明する。
まず、制御部４１により、ユーザの操作部４２からの操作により、計測線を描画すべき位置が指定されたか否かが判断される（ステップＳ２１）。ここで、「計測線を描画すべき位置の指定」には、新たに計測線を追加する場合と、既に描画されている計測線を移動する場合とが含まれる。
【００６２】
計測線を描画すべき位置が指定された場合には（ステップＳ２１；ＹＥＳ）、制御部４１により、指定された計測線の位置に基づいて、メモリ４７内のアノテーション情報Ｄ２の計測線情報が更新される（ステップＳ２２）。そして、制御部４１により、更新された計測線情報に基づいて、表示部４３の医用画像上に計測線が表示される（ステップＳ２３）。
【００６３】
次に、制御部４１により、指定された計測線の位置に基づいて、計測値が算出され（ステップＳ２４）、算出された計測値に基づいて、メモリ４７内のアノテーション情報Ｄ２の計測値情報が更新される（ステップＳ２５）。そして、制御部４１により、更新された計測値情報に基づいて、表示部４３の医用画像上に計測値が表示される（ステップＳ２６）。
【００６４】
図７に示す読影画面４３１上で計測線Ｌ２の移動を行った場合に、表示部４３に表示される読影画面４３２の例を図９に示す。計測線Ｌ２を移動したことにより、計測値も算出し直され、計測値表示領域Ｒ１には計測値が「心臓幅  １３９．２４ｍｍ  胸郭幅  ３０１．８６ｍｍ  心胸比  ４６．１３％」と表示されている。
【００６５】
ステップＳ２１において、計測線を描画すべき位置が指定されない場合（ステップＳ２１；ＮＯ）、又は、ステップＳ２６の後、図６に戻り、制御部４１により、ユーザの操作部４２からの操作により、紙プリントが指示されたか否かが判断される（ステップＳ５）。
【００６６】
紙プリントが指示されない場合には（ステップＳ５；ＮＯ）、制御部４１により、ユーザの操作部４２からの操作により、計測結果の保存が指示されたか否かが判断される（ステップＳ６）。
【００６７】
計測結果の保存が指示された場合には（ステップＳ６；ＹＥＳ）、制御部４１により、画像サーバ装置３０に対して、表示部４３に表示されている計測結果（メモリ４７のアノテーション情報Ｄ２に含まれる計測線情報及び計測値情報）の保存指示情報が、通信部４４を介して送信される（ステップＳ７）。
【００６８】
画像サーバ装置３０では、通信部３４により計測結果の保存指示情報が受信され、制御部３１により、当該計測結果の保存指示情報に従って、記憶部３６内の情報が上書き保存される。具体的には、アノテーション情報Ｄ２、ＤＢ３６１の計測線テーブル３６６、計測値テーブル３６７が更新される。
【００６９】
ステップＳ６において、計測結果の保存が指示されない場合には（ステップＳ６；ＮＯ）、ステップＳ４に戻り、処理が繰り返される。
【００７０】
ステップＳ５において、紙プリントが指示された場合には（ステップＳ５；ＹＥＳ）、制御部４１により、医用画像上に計測線が描画されているか否かが判断される（ステップＳ８）。医用画像上に計測線が描画されていない場合には（ステップＳ８；ＮＯ）、制御部４１により、表示部４３に表示されている医用画像と、ＤＢ関連情報Ｄ３とをプリントさせるためのプリント情報が生成され、プリンタ５０に対して、プリント情報が通信部４４を介して送信される（ステップＳ９）。プリンタ５０では、計測線及び計測値が付加されていない医用画像と、ＤＢ関連情報Ｄ３とが用紙にプリントされる。この場合、ＤＢ関連情報Ｄ３には計測値が含まれないため、情報の不一致は生じない。
【００７１】
ステップＳ８において、医用画像上に計測線が描画されている場合には（ステップＳ８；ＹＥＳ）、制御部４１により、表示部４３に表示されている計測値（メモリ４７のアノテーション情報Ｄ２に含まれる計測値）と、メモリ４７のＤＢ関連情報Ｄ３に含まれる計測値とが一致するか否かが判断される（ステップＳ１０）。表示部４３に表示されている計測値と、ＤＢ関連情報Ｄ３に含まれる計測値とが一致する場合には（ステップＳ１０；ＹＥＳ）、制御部４１により、表示部４３に表示されている医用画像、計測線及び計測値と、ＤＢ関連情報Ｄ３とをプリントさせるためのプリント情報が生成され、プリンタ５０に対して、プリント情報が通信部４４を介して送信される（ステップＳ９）。プリンタ５０では、計測線及び計測値が付加された医用画像と、ＤＢ関連情報Ｄ３とが用紙にプリントされる。
【００７２】
ステップＳ１０において、表示部４３に表示されている計測値と、ＤＢ関連情報Ｄ３に含まれる計測値とが一致しない場合には（ステップＳ１０；ＮＯ）、制御部４１により、ＤＢ関連情報Ｄ３に含まれる計測値が、表示部４３に表示されている計測値に修正され（ステップＳ１１）、修正後のデータに基づいて、表示部４３に表示されている医用画像、計測線及び計測値と、ＤＢ関連情報Ｄ３とをプリントさせるためのプリント情報が生成される。そして、制御部４１により、プリンタ５０に対して、プリント情報が通信部４４を介して送信される（ステップＳ９）。プリンタ５０では、計測線及び計測値が付加された医用画像と、ＤＢ関連情報Ｄ３とが用紙にプリントされる。
以上で、画像計測装置４０における処理が終了する。
【００７３】
図１０に、プリント例を示す。図１０に示すように、用紙７０には、ＤＢ関連情報領域７１、メモ領域７２、医用画像領域７３が含まれる。ＤＢ関連情報領域７１は、ＤＢ関連情報Ｄ３がプリントされる領域である。メモ領域７２は、医師がメモを記載するための領域である。医用画像領域７３は、医用画像がプリントされる領域である。ＤＢ関連情報領域７１に含まれる計測値７１１と、医用画像領域７３に含まれる計測値７３１とは、一致している。
【００７４】
以上の処理では、プリンタ５０において用紙に医用画像等をプリントする場合について説明したが、イメージャ６０においてフィルムに医用画像等をプリントする場合についても同様である。
【００７５】
以上説明したように、画像計測装置４０によれば、計測結果を外部機器に出力する際に、表示部４３に表示されている計測値と、ＤＢ関連情報Ｄ３に含まれる計測値とが一致しない場合に、ＤＢ関連情報Ｄ３に含まれる計測値を、表示部４３に表示されている計測値に修正してプリント情報を生成するので、用紙やフィルム上での情報の不一致を防止することができる。このため、用紙やフィルム上において、同一の計測値として異なる複数の情報が記載されることがなくなり、医用画像の診断の精度を向上させることができる。胸部画像の場合には、心臓幅、胸郭幅、心胸比について、情報の不一致を防止し、医用画像の診断の精度を向上させることができる。
【００７６】
なお、上記実施の形態における記述は、本発明に係る画像計測装置の一例であり、これに限定されるものではない。装置の細部構成及び細部動作に関しても適宜変更可能である。
【００７７】
例えば、画像計測装置４０において計測結果を外部機器に出力する際に、表示部４３に表示されている計測値と、ＤＢ関連情報Ｄ３に含まれる計測値とが一致しない場合に、その旨を画面に表示したり、音声出力したりすることにより、ユーザに対して警告を発することとしてもよい。また、紙やフィルムにプリントする際に、表示部４３に表示されている計測値と、ＤＢ関連情報Ｄ３に含まれる計測値とが一致しない場合に、画像計測装置４０から画像サーバ装置３０に、表示部４３に表示されている計測結果をフィードバックすることとしてもよい。
【００７８】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００７９】
１０  ＲＩＳ
２０  モダリティ
３０  画像サーバ装置
３１  制御部
３２  操作部
３３  表示部
３４  通信部
３５  ＲＯＭ
３６  記憶部
３７  バス
４０  画像計測装置
４１  制御部
４２  操作部
４３  表示部
４４  通信部
４５  ＲＯＭ
４６  記憶部
４７  メモリ
４８  バス
５０  プリンタ
６０  イメージャ
７０  用紙
７１  ＤＢ関連情報領域
７２  メモ領域
７３  医用画像領域
１００  医用画像システム
３６１  ＤＢ
３６２  患者情報テーブル
３６３  検査情報テーブル
３６４  シリーズ情報テーブル
３６５  画像情報テーブル
３６６  計測線テーブル
３６７  計測値テーブル
７１１  計測値
７３１  計測値
Ｎ  ネットワーク
Ｄ１  画像ファイル
Ｄ２  アノテーション情報
Ｄ３  ＤＢ関連情報
Ｌ１，Ｌ２，Ｌ３，Ｌ４，Ｌ５  計測線
Ｒ１  計測値表示領域
【図１】
2010233879.tif 000003
【図２】
2010233879.tif 000004
【図３】
2010233879.tif 000005
【図４】
2010233879.tif 000006
【図５】
2010233879.tif 000007
【図６】
2010233879.tif 000008
【図７】
2010233879.tif 000009
【図８】
2010233879.tif 000010
【図９】
2010233879.tif 000011
【図１０】
2010233879.tif 000012